(57)【要約】      （修正有）【課題】消灯後において、カーテンの位置を明確に視認することができるとともに、暗闇においてもカーテンのデザインや風合いを楽しむことができるカーテン吊下具を提供する。【解決手段】フック体１０と、フック体１０に装着される、カーテンを吊下げる高さを調節するアジャスター２０とを備え、かつ、フック体１０に、カーテンに必要以上の荷重が生じた際、形状が変形してカーテンをレールから落下させる変形部１５が形成されているカーテン吊下具１において、フック体１０及び／またはアジャスター２０に発光性が付与された。【選択図】図１
0003205983.tif 000002
【実用新案登録請求の範囲】
【請求項１】
フック体と、該フック体に装着される、カーテンを吊下げる高さを調節するアジャスターとを備え、かつ、前記フック体に、前記カーテンに必要以上の荷重が生じた際、形状が変形して前記カーテンをレールから落下させる変形部が形成されているカーテン吊下具において、前記フック体及び／または前記アジャスターに発光性が付与されたことを特徴とするカーテン吊下具。
【請求項２】
前記発光性が、前記フック体及び／または前記アジャスターの素材内に付与された請求項１に記載のカーテン吊下具。
【請求項３】
前記発光性が、前記フック体及び／または前記アジャスターの表面に付与された請求項１または２に記載のカーテン吊下具。
【請求項４】
前記発光性が、前記フック体及び／または前記アジャスターに装着される装着具にも付与された請求項１ないし３のいずれか一項に記載のカーテン吊下具。
【請求項５】
前記装着具の発光部が、室内側に配設される請求項４記載のカーテン吊下具。
【請求項６】
前記装着具が、前記フック体及び／または前記アジャスターに着脱自在に装着される請求項４または５に記載のカーテン吊下具。
【請求項７】
前記フック体及び／または前記アジャスターに着色部を形成した請求項１ないし６のうちいずれか１項に記載のカーテン吊下具。
【考案の詳細な説明】
【技術分野】
【０００１】
本考案は、消灯後においても、幻想的な光を発することができるカーテン吊下具に関する。
【背景技術】
【０００２】
一般的なカーテンは、窓の室内側のカーテンレールに吊下げられ、レール内のランナより開閉自在に装着されている。また、通常、カーテンは容易に落下しないように、ランナに連結されたリングに、金属やプラスチック等からなるフック体を介して強固に取り付けられている。
【０００３】
また、市販されているフック体は、カーテンレールに摺動自在に装着されているリングに掛けられ、さらにフック体の基部は、カーテンを吊下げる高さを調節するアジャスターに装着されている。
【０００４】
また、カーテンに必要以上の荷重が生じた際、カーテンをレールから落下させることができるカーテン吊下具が提案されている（例えば特許文献１参照）。特許文献１のカーテン吊下具用は、カーテンをレールに吊下げる連結具（フック体）を備え、該連結具がレールに対する掛止部（フック部）を有するか、またはそれ自体で掛止部を形成し、カーテンに必要以上の荷重が生じた際、該掛止部が変形してカーテンがレールから落下することを特徴としている。
【０００５】
このカーテン吊下具用は、通常のカーテン使用時においては何等問題を生じることはないが、カーテンに必要以上の荷重が生じた際、形状が変形してカーテンをレールから落下させることができるので、不慮の事故の防止や防火の効果を実現することができる。
【先行技術文献】
【特許文献】
【０００６】
【特許文献１】実用新案登録第３１６１７３９号公報（実用新案登録請求の範囲等）
【考案の概要】
【考案が解決しようとする課題】
【０００７】
しかし、上掲特許文献１に記載されたカーテン吊下具用は、消灯後においてはカーテンの位置を明確に視認することができなかった。また暗闇においては、カーテンのデザインや風合いを楽しむことができないという問題も残った。
【０００８】
そこで本考案の目的は上記問題点を解消して、消灯後において、カーテンの位置を明確に視認することができるとともに、暗闇においてもデザインや風合いを楽しむことができるカーテン吊下具を提供することにある。
【課題を解決するための手段】
【０００９】
本考案のカーテン吊下具は、フック体と、該フック体に装着される、カーテンを吊下げる高さを調節するアジャスターとを備え、かつ、前記フック体に、前記カーテンに必要以上の荷重が生じた際、形状が変形して前記カーテンをレールから落下させる変形部が形成されているカーテン吊下具において、前記フック体及び／または前記アジャスターに発光性が付与されたことを特徴とするとするものである。
【００１０】
また、本考案のカーテン吊下具は、発光性が、フック体及び／またはアジャスターの素材内または表面に付与されていることが好ましく、さらにまた、発光性が、フック体及び／またはアジャスターに着脱自在に装着され、発光部が室内側に配設される装着具にも付与されていることが好ましい。また、フック体及び／またはアジャスターに着色部を形成することができる。
【考案の効果】
【００１１】
本考案によれば、カーテン吊下具のフック体及びアジャスター、または何れか一方に発光性を付与したことにより、消灯後においてフック体やアジャスターが発光するため、カーテンの位置を明確に視認することができる。また、フック体やアジャスターが発光する光により、暗闇においてもカーテンに施されているデザインや風合いを楽しむことができる。
【図面の簡単な説明】
【００１２】
【図１】本考案の一実施の形態に係るカーテン吊下具の分解図である。
【図２】図１に示すカーテン吊下具を一体化した状態の側面図である。
【図３】図１に示すカーテン吊下具の全体斜視図である。
【図４】装着具を備えたフック体の側面図である。
【図５】装着具を備えたカーテン吊下具の側面図である。
【図６】装着具を備えたカーテン吊下具の使用状態の側面図である。
【図７】装着具を備えたカーテン吊下具の使用状態の正面図である。
【図８】本考案のカーテン吊下具の使用状態正面図である。
【考案を実施するための形態】
【００１３】
以下、本考案におけるカーテン吊下具の一実施の形態を図面に基づいて説明する。
【００１４】
カーテン吊下具１は、図１ないし図３に示すように、フック体１０と、フック体１０に装着される、カーテンを吊下げる高さを調節するアジャスター２０とを備える。
【００１５】
フック体１０は、カーテンレールのリングに吊下げられるヘアピン状のフック部１１と、アジャスター２０のラチェット２１に装着される係合部１２とで構成されている。また、フック体１０と係合部１２との間には基部１３が、フック部１１の先方には湾曲状の差込部１４が形成されている。さらにフック部１１には、薄状の変形部１５が形成されている。
【００１６】
フック部１１は、カーテンに必要以上の荷重が生じた際に破損することなく弾性変形する素材にて形成されている。具体的には、スチール等の金属材料またはポリオレフィン樹脂、ポリエステル樹脂、ポリカーボネート樹脂、ポリアミド樹脂等の樹脂材料やエラストマー材料が挙げられる。
【００１７】
上述のフック体１０を構成要素とするカーテン吊下具１においては、例えば１０ｋｇ以上の荷重を与えると、フック部１１が弾性変形する。そしてさらに荷重を加えるとフック部１１がリングから外れ、レールから落下させることができる。それにより、火災が発生した際、炎が引火する前にカーテンをレールから容易に取り外すことができる。また、カーテンに足を掛けて転倒するという事故も未然に防ぐことができる。
【００１８】
アジャスター２０は、フック体１０の係合部１２を高さ調節自在に装着するラチェット部２１と、カーテンの袋部に挿入される挿入フック２２とで構成されている。
【００１９】
また、フック体１０とアジャスター２０とは、容易に装着したり、または取り外して分離したりすることができるため、洗濯の際、また、カーテンを再度レールに装着する際の利便性に優れている。
【００２０】
本考案のカーテン吊下具１は、フック体１０及び／又はアジャスター２０に発光材３０による発光性が付与されたことを特徴とする。発光材３０は、日中の太陽光又は室内の照明器具から照射される光を蓄え、暗闇で自然発光する。
【００２１】
発光材３０には、例えば、硫化亜鉛、アルシン酸ストロンチウム、バリウム等の素材を含む蓄光剤が好適に使用される。かかる発光材３０をフック体１０とアジャスター２０を製造する過程で前記樹脂素材内に含有させることができる。
【００２２】
また、発光材３０は、成形されたフック体１０とアジャスター２０の表面に塗布することもできる。さらに、発光材３０を塗布したシールを貼着しても同様の効果が得られる。
【００２３】
フック体１０及び／またはアジャスター２０に発光性が付与されたことにより、消灯後においてフック体１０やアジャスター２０が発光するため、カーテンの位置を明確に視認することができ、暗闇においてもカーテンに施されているデザインや風合いを楽しむことができる。
【００２４】
また、他の好適例として、図４及び図５に示すように、発光材３０による発光性をフック体１０及び／またはアジャスター２０に装着される装着具４０に付与することもできる。
【００２５】
装着具４０は、図４に示すように、軸部４１がフック体１０の上部に立設されており、軸部４１の先方はアジャスター２０側に湾曲した状態に形成されている。また軸部４１の先端には、発光材３０が含有、または塗布されている発光部４２が形成されている。この発光部４２には発光材３０を塗布したシールを貼着してもよいし、アニメキャラクター等のデザインを施してもよい。
【００２６】
このような構造のため、装着具４０は、アジャスターに備え付けられた状態においては、図５に示すように、軸部４１の先方がアジャスター２０の上部から室内側に湾曲した状態となり、カーテンレール３のリング４にフック体１０を掛けた状態においては、図６及び図７に示すように、装着具４０の発光部４２はカーテン２の表側（室内側）に配設されることとなる。このため、図８に示すように、消灯後において発光部４２が自然発光し、カーテン２の位置を明確に視認することができる。また暗闇においても、カーテン２に施されているデザインや風合いを楽しむことができる。
【００２７】
さらにまた、装着具４０は、フック体１０及び／またはアジャスター２０に着脱自在に装着できる構造としてもよい。装着具４０を着脱自在に装着することにより、市販のフック体やアジャスターに利用することができ、利便性を向上させることができる。
【００２８】
また、フック体１０及び／またはアジャスター２０は着色部５０を備えてもよい。着色部５０は任意の箇所、例えばフック体１０の差込部１４やアジャスター２０のラチェット部２１の前面等に好適に備えることができる。着色部５０を備えることにより、他社製品との識別化ができるとともに、外観的な趣も醸し出すことができる。
【符号の説明】
【００２９】
１    カーテン吊下具
２    カーテン
３    カーテンレール
４    リング
１０  フック体
１１  フック部  
１２  係合部  
１３  基部
１４  差込部
１５  変形部
２０  アジャスター
２１  ラチェット部
２２  挿入フック
３０  発光材
４０  装着具
４１  軸部
４２  発光部
５０  着色部
【図１】
0003205983.tif 000003
【図２】
0003205983.tif 000004
【図３】
0003205983.tif 000005
【図４】
0003205983.tif 000006
【図５】
0003205983.tif 000007
【図６】
0003205983.tif 000008
【図７】
0003205983.tif 000009
【図８】
0003205983.tif 000010